(57)【特許請求の範囲】
【請求項１】
レンズを保持するとともに光軸方向に移動可能な移動体と、
バネ部材を介して前記移動体を支持する支持体と、
前記移動体に保持されたコイルを備え、前記移動体を光軸方向に駆動する磁気駆動機構と、を有するレンズ駆動装置において、
前記バネ部材は、電気的に分割された複数のバネ片を有し、
前記バネ片には、前記コイルの巻き始め部又は巻き終わり部のいずれか一方を電気的に接続するコイル接続部が形成されており、
前記コイル接続部は折り曲げ可能であって、かつ、前記移動体には折り曲げられた前記コイル接続部を収納する収納部が設けられていることを特徴とするレンズ駆動装置。
【請求項２】
前記コイル接続部は、前記バネ片を前記移動体に位置決めする位置決め用孔の近傍に配置されていることを特徴とする請求項１記載のレンズ駆動装置。
【請求項３】
前記コイル接続部は、前記移動体に保持されたコイルから引き回されたコイル線がからげられたコイルからげ部を有し、
前記コイルからげ部及び前記コイル線は、前記収納部に収納された状態で、接着剤で前記収納部に固定されていることを特徴とする請求項１又は２記載のレンズ駆動装置。
【請求項４】
前記コイル線は、前記コイルからげ部に半田付けされ、かつ、前記コイルからげ部近傍で絶縁被膜が溶けた絶縁被膜溶解部と、前記コイルからげ部から離れて絶縁被膜が溶けていない絶縁被膜非溶解部と、が形成されており、
前記コイル線のうち少なくとも前記絶縁被膜溶解部は、接着剤で前記収納部に固定されていることを特徴とする請求項３記載のレンズ駆動装置。
【請求項５】
前記移動体はレンズを保持するスリーブを有するとともに、
前記スリーブは、光軸方向の前端面側に取り付けられた第１の板バネと、光軸方向の後端面側に取り付けられた第２の板バネとにより光軸方向に移動可能に取付けられ、
前記第１の板バネと第２の板バネの一方は、電気的に分離された２枚のバネ片からなり、該２枚のバネ片には、前記コイルの巻き始め部及び巻き終わり部を電気的に接続する前記コイル接続部が形成されていることを特徴とする請求項１記載のレンズ駆動装置。
【請求項６】
前記２枚のバネ片のそれぞれは、前記スリーブに取り付けられる円弧状のスリーブ側取り付け部と、前記支持体側に取り付けられる支持体側取り付け部と、前記スリーブ側取り付け部と前記支持体側取り付け部との間に形成され前記スリーブの光軸方向への移動を規制するアーム部とを有し、
前記円弧状のスリーブ側取り付け部の先端部に前記コイル接続部が形成されているとともに、前記スリーブの前記光軸方向端面には、前記コイル接続部を収納する収納凹部が形成されていることを特徴とする請求項５記載のレンズ駆動装置。
【請求項７】
前記２枚のバネ片のそれぞれは、前記スリーブ側取り付け部の前記先端部の近傍に、前記バネ片を前記スリーブに位置決めする位置決め用孔が形成されており、前記位置決め用孔を介して前記バネ片の前記スリーブ側取り付け部が前記スリーブに位置決め固定されるとともに、前記コイル接続部が前記収納凹部内に収納されるようにしたことを特徴とする請求項６記載のレンズ駆動装置。
【請求項８】
前記コイル接続部は、接着剤により覆われた状態で前記収納凹部に接着固定されていることを特徴とする請求項６記載のレンズ駆動装置。
【請求項９】
前記コイル接続部は、前記コイルがからげられ半田付けされたコイルからげ部を有し、前記接着剤は、前記コイルからげ部と、半田付け時に生じた前記コイルの絶縁被膜が溶けた部分とを少なくとも覆うように充填され、前記コイル接続部と前記コイルとが前記接着剤により前記収納凹部に接着固定されていることを特徴とする請求項８記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示された撮像装置は、撮像光学系が配置された鏡筒と、可動レンズを有し、鏡筒に対して光軸方向へ移動される可動部と、当該可動部を光軸方向へ移動させるリニアアクチュエータと、可動部を保持する保持部と、弾性変形可能な複数のバネ部と、を有している。また、可動部は、レンズホルダと、駆動用コイルと、コイルホルダと、を有している。このような構成において、駆動用コイルに対する通電によるリニアアクチュエータの駆動によって、可動部を無限遠側からマクロ端側へと移動させることができる。その結果、可動部を所望の位置に停止させることができる。
【０００５】
ここで、駆動用コイルの端部は、コイルホルダに形成されたコイル巻回用突部に巻回されている。また、コイル巻回用突部は、コイルホルダの上下両端部に、それぞれ上方及び下方へ突出されて形成されている。さらに、駆動用コイルをコイル巻回用突部に巻回した後は、導通機能を高めるために、或いは、駆動用コイルをコイル巻回用突部に確実に接着するため、駆動用コイルの上からハンダ付けを行うことが一般的である。
【０００６】
【特許文献１】特開２００６−２２７１０３号公報（段落［００８８］、図１３）
【発明の開示】
【発明が解決しようとする課題】
【０００７】
しかしながら、半田付けによって、駆動用コイルとコイル巻回用突部を電気的に接続した場合、半田付けした箇所が盛り上がってしまい、設計空間を狭めることになる。すなわち、半田付けした箇所が盛り上がってしまうと、相対する部品との間隔を確保しなければならず、設計空間を狭めることになる。加えて、相対する部品との十分な間隔を確保しようとすると、装置自体の厚み・大きさが増大してしまい、近年における装置の小型化要請に沿わないという問題を生じてしまう。
【０００８】
本発明は、以上の点に鑑みてなされたものであり、その目的は、半田付けした箇所の半田の厚みによって設計空間が狭められるのを防ぎ、ひいては装置の薄型化に貢献することが可能なレンズ駆動装置を提供することにある。
【課題を解決するための手段】
【０００９】
以上のような課題を解決するために、本発明は、以下のものを提供する。
【００１０】
（１）  レンズを保持するとともに光軸方向に移動可能な移動体と、バネ部材を介して前記移動体を支持する支持体と、前記移動体に保持されたコイルを備え、前記移動体を光軸方向に駆動する磁気駆動機構と、を有するレンズ駆動装置において、前記バネ部材は、電気的に分割された複数のバネ片を有し、前記バネ片には、前記コイルの巻き始め部又は巻き終わり部のいずれか一方を電気的に接続するコイル接続部が形成されており、前記コイル接続部は折り曲げ可能であって、かつ、前記移動体には折り曲げられた前記コイル接続部を収納する収納部が設けられていることを特徴とするレンズ駆動装置。
【００１１】
本発明によれば、レンズ駆動装置は、移動体と、支持体と、磁気駆動機構と、電気的に分割（分離）された複数のバネ片を有しており、そのバネ片には、コイルの巻き始め部又は巻き終わり部のいずれか一方を電気的に接続するコイル接続部が形成されている。そして、このコイル接続部は折り曲げ可能であって、かつ、上述した移動体には折り曲げられたコイル接続部を収納する収納部が設けられていることとしたので、コイルの上に盛られた半田は、コイル接続部ごと収納部に折り込まれることになる。
【００１２】
したがって、半田が盛られていたとしても、コイル接続部の折り曲げ度合いによっては、相対する部品との間隔を大きくしなければならないことはない。その結果、設計空間が狭められるのを防ぐことができ、ひいては装置の薄型化に貢献することができる。また、コイル接続部を折り曲げて、コイルの上に盛られた半田の厚みを無視できるようになれば、相対する部品との間隔を十分に確保することができ、ひいては、カメラ付き携帯電話機などレンズ駆動装置が搭載される機器の落下強度等の信頼性を向上させることができる。
【００１３】
（２）  前記コイル接続部は、前記バネ片を前記移動体に位置決めする位置決め用孔の近傍に配置されていることを特徴とする請求項１記載のレンズ駆動装置。
【００１４】
本発明によれば、上述したコイル接続部は、バネ片を移動体に位置決めする位置決め用孔の近傍に配置されていることとしたので、コイル接続部を折り曲げたことによって、バネ片が浮き上がってしまうのを防ぐことができる。すなわち、バネ片の位置決め用孔には移動体の突起が挿入されるので、位置決め用孔の付近のバネ片を折り曲げても、浮き上がりにくくなっている。そのため、位置決め用孔の付近にコイル接続部を設けることで、コイル接続部を折り曲げても、バネ片が浮き上がり難くなる。
【００１５】
（３）  前記コイル接続部は、前記移動体に保持されたコイルから引き回されたコイル線がからげられたコイルからげ部を有し、前記コイルからげ部及び前記コイル線は、前記収納部に収納された状態で、接着剤で前記収納部に固定されていることを特徴とするレンズ駆動装置。
【００１６】
本発明によれば、上述したコイル接続部は、移動体に保持されたコイルから引き回されたコイル線がからげられたコイルからげ部を有している。そして、これらコイル線とコイルからげ部は、上述した収納部に収納された状態で、接着剤で収納部に固定されているので、落下や振動衝撃に対し、コイルからげ部が動くことを防止して、コイル断線の危険性を低くすることができる。
【００１７】
（４）  前記コイル線は、前記コイルからげ部に半田付けされ、かつ、前記コイルからげ部近傍で絶縁被膜が溶けた絶縁被膜溶解部と、前記コイルからげ部から離れて絶縁被膜が溶けていない絶縁被膜非溶解部と、が形成されており、前記コイル線のうち少なくとも前記絶縁被膜溶解部は、接着剤で前記収納部に固定されていることを特徴とするレンズ駆動装置。
【００１８】
本発明によれば、コイルからげ部に半田付けされたコイル線には、コイルからげ部近傍で絶縁被膜が溶けた絶縁被膜溶解部と、コイルからげ部から離れて絶縁被膜が溶けていない絶縁被膜非溶解部と、が形成されている。そして、コイル線のうち少なくとも絶縁被膜溶解部は、接着剤で収納部に固定されていることとしたので、落下や振動衝撃に対し、コイルからげ部が動くことを防止して、コイル断線の危険性を低くすることができる。
【００１９】
特に、コイル線の絶縁被膜に関し、半田付け時の熱によって溶けた部分は、半田メッキされた状態となり、柔軟性を欠いた硬い状態となる。一方、絶縁被膜が溶けていない部分は、線自体のもつ柔軟性を維持している。これらの境界付近では、一方（絶縁被膜溶解部）が硬く動き難いのに対し、他方（絶縁被膜非溶解部）が自由に動くようになっている。そのため、落下・振動・衝撃などによって断線する虞がある。そこで、本発明のように、少なくとも絶縁被膜溶解部を接着剤で覆うようにすれば、断線の危険性を低くすることができる。
【００２０】
上記のレンズ駆動装置において、前記移動体はレンズを保持するスリーブを有するとともに、前記スリーブは、光軸方向の前端面側に取り付けられた第１の板バネと、光軸方向の後端面側に取り付けられた第２の板バネとにより光軸方向に移動可能に取付けられ、前記第１の板バネと第２の板バネの一方は、電気的に分離された２枚のバネ片からなり、該２枚のバネ片には、前記コイルの巻き始め部及び巻き終わり部を電気的に接続する前記コイル接続部が形成されているように構成することができる。
【００２１】
この場合、前記２枚のバネ片のそれぞれは、前記スリーブに取り付けられる円弧状のスリーブ側取り付け部と、前記支持体側に取り付けられる支持体側取り付け部と、前記スリーブ側取り付け部と前記支持体側取り付け部との間に形成され前記スリーブの光軸方向への移動を規制するアーム部とを有するように構成した場合、前記円弧状のスリーブ側取り付け部の先端部に前記コイル接続部が形成されているとともに、前記スリーブの前記光軸方向端面には、前記コイル接続部を収納する収納凹部が形成されていることが好ましい。
【００２２】
前記２枚のバネ片のそれぞれは、前記スリーブ側取り付け部の前記先端部の近傍に、前記バネ片を前記スリーブに位置決めする位置決め用孔が形成されており、前記位置決め用孔を介して前記バネ片の前記スリーブ側取り付け部が前記スリーブに位置決め固定されるとともに、前記コイル接続部が前記収納凹部内に収納されるようにすることが好ましい。
【００２３】
更に、上記のレンズ駆動装置において、前記コイル接続部は、接着剤により前記収納部に接着固定されているように構成すれば、落下、振動衝撃に対し、コイル接続部が動くことを防止し、コイル断線の危険性を少なくすることができる。この場合、前記コイル接続部は、前記コイルがからげられ半田付けされたコイルからげ部を有し、前記接着剤は、前記コイルからげ部と、半田付け時に生じた前記コイルの絶縁被膜が溶けた部分とを少なくとも覆うように充填され、前記コイル接続部と前記コイルとが前記接着剤により前記収納部に接着固定されていることが好ましい。このように構成しておけば、コイル接続部とともに半田付け時に生じた前記コイルの絶縁被膜が溶けた部分の境界部を含むように接着剤で覆い、収納部に固定することになるから、コイル断線の危険性を更に減少させることができる。
【発明の効果】
【００２４】
本発明に係るレンズ駆動装置によれば、半田が盛られるコイル接続部を折り曲げることによって、相対する部品との間隔を大きくとる必要がなくなり、ひいては装置の薄型化に貢献することができる。一方で、コイル接続部を折り曲げて半田の厚みを無視できるようになれば、相対する部品との間隔を大きくとることができるようになり、ひいてはレンズ駆動装置の堅牢性や信頼性などを高めることができる。
【発明を実施するための最良の形態】
【００２５】
以下、本発明を実施するための最良の形態について、図面を参照しながら説明する。
【００２６】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２７】
図１及び図２において、レンズ駆動装置１は、ヨーク１１と、カバー１２と、スリーブ１３と、第１の板バネ１４と、第２の板バネ１５と、ワイヤースプリング１６と、マグネット１７と、コイル１８（第１のコイル１８１及び第２のコイル１８２）と、ホルダ１９と、を有している。
【００２８】
なお、レンズが組み込まれたレンズバレル（鏡筒）については、図示を省略している。また、レンズ駆動装置１は、スリーブ１３を光軸Ｌの方向に沿って、被写体（撮像対象）に近づくＡ方向（前側）、被写体とは反対側（像側）に近づくＢ方向（後側）の双方向に移動させるものである（図１参照）。また、一又は複数枚のレンズが組み込まれたレンズバレル（上述のとおり図示せず）を保持するスリーブ１３は、ワイヤースプリング１６等と併せて光軸Ｌの方向に移動可能に構成されており、「移動体」の一例に相当する。また、ヨーク１１、カバー１２やホルダ１９などは、第１の板バネ１４及び第２の板バネ１５を介してスリーブ１３等を光軸Ｌの方向に移動可能に支持する「支持体」の一例に相当する。また、スリーブ１３等は、スリーブ１３に保持されたコイル１８やマグネット１７を備える「磁気駆動機構」によって、光軸Ｌの方向に駆動される。
【００２９】
ヨーク１１は、例えば鋼板などの強磁性板から構成されている。また、ヨーク１１は、レンズ駆動装置１の前面及び側面で露出し、その中央には、被写体からの反射光をレンズに取り込むための円形の入射窓１１１が形成されている。一方、カバー１２は、ヨーク１１に取付けられ、その中央には、被写体からの反射光をレンズに取り込むための円形の入射窓１２１が形成されている。ホルダ１９は、像側で撮像素子（図示せず）を保持するものである。
【００３０】
コイル１８は、第１のコイル１８１及び第２のコイル１８２から構成され、これらは光軸Lの方向に２段に配置され、いずれも円環状となっている。そして、スリーブ１３の外周面に所定の間隔をおいて巻き付けられる。また、８個のマグネット１７が光軸方向に２段に重ねて配置されており、各段のマグネット１７は、前側のマグネット１７が第１のコイル１８１に対して及び後側のマグネット１７は第２のコイル１８２に対して外周側で対向し、図１等に示すように、外形がほぼ四角形状したヨーク１１の内周面のうち４箇所の角部分に固定される。
【００３１】
本実施形態では、マグネット１７は、いずれにおいても内面と外面とが異なる極に着磁されている。例えば、前側に配置された４個のマグネット１７は、その内面がＮ極に着磁され、外面がＳ極に着磁され、後側に配置された４個のマグネット１７は、その内面がＳ極に着磁され、外面がＮ極に着磁されている。
【００３２】
第１の板バネ１４及び第２の板バネ１５は、双方とも金属製の薄板から形成されており、光軸Ｌの方向における厚さを同じにしている。図２に示すように、第１の板バネ１４は、スリーブ１３の光軸方向の前端面に取り付けられる（なお、例えばこの前端面に溶着されたり接着されたりする）円弧状のスリーブ側取り付け部１４ｂと、樹脂形成されたカバー１２に取り付けられるカバー側取り付け部１４ｃと、スリーブ側取り付け部１４ｂとカバー側取り付け部１４ｃとの間に形成され、スリーブ１３の光軸方向への移動を規制するアーム部１４ｄと、を有している。なお、第２の板バネ１５は、後述する図３及び図４に示すように、電気的に分離された２枚のバネ片１５Ａ，１５Ｂからなっている。各バネ片１５Ａ，１５Ｂは、それぞれスリーブ１３の光軸方向の後端面側に取り付けられる円弧状のスリーブ側取り付け部１５ｂと、樹脂形成されたホルダ１９に取り付けられるホルダ側取り付け部１５ｃと、スリーブ側取り付け部１５ｂとホルダ側取り付け部１５ｃとの間に形成され、スリーブ１３の光軸方向への移動を規制するアーム部１５ｄと、を有している。
【００３３】
ヨーク１１は、第１のコイル１８１及び第２のコイル１８２が配置されている領域の光軸方向の寸法、および、マグネット１７の光軸方向の寸法よりも大きくなっているため、前側のマグネット１７と第１のコイル１８１との間に構成される磁路、及び、後側のマグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００３４】
レンズ駆動装置１は、円環状のワイヤースプリング１６を備えている。ワイヤースプリング１６は、マグネット１７との間に作用する磁気吸引力により、スリーブ１３に対して光軸Ｌの方向の付勢力を印加する。このため、移動体（スリーブ１３等）がコイルの非通電時に自重で変位することを防止することができ、ひいては移動体（スリーブ１３等）に所望の姿勢を維持させることができるようになっている。さらに、耐衝撃性を向上させることができるようになっている。
【００３５】
ここで、本実施形態に係るレンズ駆動装置１では、第２の板バネ１５は、外部電源からの電流をコイル１８に供給する際の媒体となるもので、コイル１８の巻き始め部と巻き終わり部に電気的に接続されている。すなわち、第２の板バネ１５は、光軸方向の１箇所で電気的に分割された２個のバネ片１５Ａ，１５Ｂを有しており、これらバネ片１５Ａ，１５Ｂには、コイル１８の巻き始め部又は巻き終わり部のいずれか一方を電気的に接続するコイル接続部１５ｅ，１５ｅ'（図３参照）が形成されている。以下、図３〜図５を用いて、このコイル接続部１５ｅ，１５ｅ'について詳述する。
【００３６】
［コイル接続部］
図３は、レンズ駆動装置１からホルダ１９を取り外し、後側から見たときの平面図である。図４は、図３に示すレンズ駆動装置１で、一のコイル接続部１５ｅ付近を拡大したときの様子を示す斜視図である。図５は、コイル接続部１５ｅを折り曲げたときの様子を示す図である。なお、図３における第２の板バネ１５には、完成時には取り去られる枠体１５ａ及び連結体１５ａ'がついている。
【００３７】
図３及び図４に示すように、第２の板バネ１５は、スリーブ１３の光軸方向の後端面に取り付けられる円弧状のスリーブ側取り付け部１５ｂと、樹脂形成されたホルダ１９に取り付けられるホルダ側取り付け部１５ｃと、スリーブ側取り付け部１５ｂとホルダ側取り付け部１５ｃとの間に形成され、スリーブ１３の光軸方向への移動を規制するアーム部１５ｄと、を有している。
【００３８】
また、第２の板バネ１５は、上述のとおり、電気的に分離された２枚のバネ片１５Ａ，１５Ｂからなっている。各バネ片１５Ａ，１５Ｂは、それぞれスリーブ側取り付け部１５ｂと、２個のホルダ側取り付け部１５ｃと、２個のアーム部１５ｄと、を有している。なお、図３では、バネ片１５Ａに設けられた、１個のスリーブ側取り付け部１５ｂ，２個のホルダ側取り付け部１５ｃ，及び２個のアーム部１５ｄを図示している（バネ片１５Ｂについては、図示を省略している）。また、アーム部１５ｄは、隣の角部に配置されたホルダ側取り付け部１５ｃの近傍まで延びている。
【００３９】
ホルダ側取り付け部１５ｃには、ホルダ１９の突起（図示せず）が挿入される穴が形成されており、この穴を通じてホルダ１９に位置決めされる。一方、スリーブ側取り付け部１５ｂには、スリーブ１３の後端面に形成された突起部１３ａが係合する、位置決め用孔１５ｇ（図４参照）が設けられている。図３では、スリーブ１３の後端面に形成された４個の突起部１３ａ、スリーブ側取り付け部１５ｂに形成された４個の位置決め用孔１５ｇに挿入されている。
【００４０】
ここで、バネ片１５Ａ及びバネ片１５Ｂのスリーブ側取り付け部１５ｂの一端には、それぞれコイル接続部１５ｅ及びコイル接続部１５ｅ'が設けられている。また、コイル接続部１５ｅは、半円状に切り欠かれたコイルからげ部１５ｆを有しており、このコイルからげ部１５ｆに、コイル１８の巻き始め部又は巻き終わり部（コイル線１８ａ）のいずれか一方がからげられる。そして、コイル線１８ａを巻回した後は、その上から半田付けがなされ、盛られた半田３０（図５参照）も含めてコイル接続部１５ｅが収納凹部１３ｂに収納される（折り曲げられる）。なお、説明は省略するが、コイル接続部１５ｅ'についても同様である。
【００４１】
また、上記の収納凹部１３ｂは、スリーブ１３の後端面の一部を切り欠いた形状であるので、明確な凹部として形成されているが、スリーブ１３の後端面に取付けられるスリーブ側取り付け部１５ｂに対して、コイル接続部１５ｅがスリーブ１３側に収納されている状態となっていれば、即ち、段差形状となっていれば、収納凹部１３ｂとみなせるものである。
【００４２】
図５に示すように、コイル接続部１５ｅは、コイルからげ部１５ｆにからげられたコイル１８や半田３０とともに、収納凹部１３ｂ内に収納されている。これにより、従来のように、コイル接続部１５ｅがバネ片１５Ａと同一平面状に形成されていた場合には、第２の板バネ１５の前側の面（基準面Ｘ）よりも半田３０が盛り上がり、設計空間が狭められていたが、本実施形態に係るレンズ駆動装置１によれば、半田３０の盛り上がりについても、コイル接続部１５ｅを折り曲げることにより、基準面Ｘ（図５参照）よりも低く、収納凹部１３ｂ内に収納することができるので、レンズ駆動装置１の薄型化に貢献することができる。また、コイル接続部１５ｅの折り曲げ度合いを調整すれば、コイル接続部１５ｅが相対する部品との間隔を確保することができるので、カメラ付き携帯電話機などレンズ駆動装置１が搭載される機器の落下強度等の信頼性を向上させることができる。
【００４３】
また、図６に示すように、コイルからげ部１５ｆ及びコイル線１８ａは、収納凹部１３ｂに収納された状態で、接着剤４０で収納凹部１３ｂの内面に固定されていてもよい。これにより、落下や振動衝撃に対し、コイルからげ部が動くことを防止して、コイル断線の危険性を低くすることができる。なお、接着剤４０としては、粘度の高いエポキシ系ＵＶ接着剤を使用することが好ましい。これにより、塗布後の接着剤タレが少なく、ＵＶ照射により短時間で硬化させることができる。また、作業後の取扱いも容易となる。その結果、作業性を向上させることができる。
【００４４】
特に、図６において、上述のとおり、コイルからげ部１５ｆにからげられたコイル線１８ａは、コイルからげ部１５ｆに半田付けされている。また、前記コイルからげ部近傍で絶縁被膜が溶けた絶縁被膜溶解部１８ｂと、コイルからげ部１５ｆから離れて絶縁被膜が溶けていない絶縁被膜非溶解部１８ｃと、が形成されている。絶縁被膜溶解部１８ｂと絶縁被膜非溶解部１８ｃとの境界に境界部１８ｄが存在する。図６に示すように、少なくとも絶縁被膜溶解部１８ｂを、接着剤４０で収納凹部１３ｂの内面に固定することによって、コイル断線の危険性を更に低くすることができる。なお、コイル断線の危険性を更に低くするために、絶縁被膜溶解部１８ｂのみならず、絶縁被膜非溶解部１８ｃの一部（絶縁被膜溶解部１８ｂと絶縁被膜非溶解部１８ｃの境界付近における、絶縁被膜非溶解部１８ｃの一部）も接着剤４０で収納凹部１３ｂの内面に固定することが好ましい。
【００４５】
また、半田付けした箇所の半田の厚みによって設計空間が狭められるという目的を達成するためには、上記のように、コイル接続部１５ｅを、コイルからげ部１５ｆにからげられたコイル１８や半田３０とともに、収納凹部１３ｂへ収納すればよい。一方、更に、落下、振動衝撃に対し、コイル接続部１５ｅが動くことを防止し、コイル断線の危険性を減少させるためには、図６に示すように、前記コイル接続部１５ｅを前記収納凹部１３ｂ内に収納するとともに、接着剤４０を前記収納凹部１３ｂに充填して前記コイル接続部１５ｅを前記接着剤４０により覆うとともに前記収納凹部１３ｂ、即ち、スリーブ１３に接着固定することが好ましい。
【００４６】
スリーブ１３に保持されたコイル１８から、コイルからげ部１５ｆまで引き回されたコイル１８が、コイルからげ部１５ｆで半田付けされた状態においては、コイルからげ部１５ｆ近傍のコイル１８には、コイルの絶縁被膜が溶けた部分と、コイルの絶縁被膜がそのまま残っている部分との境界部１８ｄが形成される。半田付け時の熱により、コイルの絶縁被膜が溶けた部分は、柔軟性を欠いた硬い状態となるのに対し、コイルの絶縁被膜がある状態では、コイル線自体の持つ柔軟性がある。これら異なる状態の境界部１８ｄでは、柔軟性を欠いた硬い部分が動きずらいのに対し、柔軟性を持つ部分は自由に動くことができるので、落下振動衝撃のストレスに対して断線し易くなる。従って、接着剤４０の充填は、コイルからげ部１５ｆとともにコイルからげ部１５ｆ近傍のコイル１８まで、具体的には、接着剤４０が前述の異なる状態の境界部１８ｄも覆ってスリーブ１３に接着固定するように充填することが好ましい。このようにすれば、落下、振動衝撃に対し、コイルの断線の危険性を更に減少させることができる。
【００４７】
接着剤４０を前記収納凹部１３ｂ全体に充填するようにすれば、自ずとコイルからげ部１５ｆとともに境界部１８ｄを覆うことができる。しかし、接着剤４０は、必ずしも収納凹部１３ｂ全体を覆うように充填する必要はなく、また、収納凹部１３ｂが明確な凹部として形成されていない場合もあるが、前述の理由により、接着剤４０は、コイルからげ部１５ｆだけでなく境界部１８ｄを覆うように充填し、スリーブ１３に接着固定することが好ましい。
【００４８】
［基本動作］
本実施形態に係るレンズ駆動装置１において、移動体は、通常（第１のコイル１８１及び第２のコイル１８２のコイルの非通電時）は、撮像素子側（像側）に位置している。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００４９】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００５０】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００５１】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、係止部等と係止させるように部材同士を接触させる場合と異なり、衝突音の発生を防ぐことができる。
【００５２】
［実施形態の主な効果］
本実施形態に係るレンズ駆動装置１によれば、図３〜図５を用いて説明したように、コイル線１８ａ上に盛られた半田は、コイル接続部１５ｅを折り曲げた分だけ、収納凹部１３ｂに折り込まれることとなる。したがって、相対する部品との間隔を大きくしなくてもよくなり、レンズ駆動装置１の薄型化・小型化に資することができる。
【００５３】
また、コイル接続部１５ｅを折り曲げて、相対する部品との間隔を十分に確保した場合には、接触による断線を防止でき、落下強度等の信頼性が高まる。さらに、バネ片１５Ａ又は１５Ｂの位置決め用孔１５ｇの付近にコイル接続部１５ｅ，１５ｅ'を設けることで、コイル接続部１５ｅ，１５ｅ'を多く折り曲げたとしても、バネ片１５Ａ又は１５Ｂは浮かび上がりにくくなる。
【００５４】
また、コイルからげ部１５ｆやコイル線１８ａ（特に、少なくとも絶縁被膜溶解部１８ｂを含む）を、接着剤４０で収納凹部１３ｂの内面に固定することによって、落下や振動衝撃に対し、コイルからげ部が動くことを防止して、コイル断線の危険性を低くすることができる。
【００５５】
なお、接着剤４０を収納凹部１３ｂ全体に充填すれば、自ずとコイルからげ部１５ｆとともに絶縁被膜溶解部１８ｂを覆うことができる。しかし、接着剤４０は、必ずしも収納凹部１３ｂ全体を覆うように充填する必要はなく、少なくとも絶縁被膜溶解部１８ｂが覆われていればよい。また、絶縁被膜溶解部の全てと、絶縁被膜非溶解部の一部で絶縁被膜溶解部に近い部分とを接着剤で覆うようにしてもよい。これにより、断線の危険性をより低くすることができる。
【００５６】
本実施形態では、コイル接続部１５ｅを折り曲げる方向は、収納凹部１３ｂの内側（すなわち後側）としたが、この方向以外の方向であってもよい。例えば、径方向外側や径方向内側であってもよい。また、コイル接続部１５ｅについては、半田付けした後に折り曲げるのではなく、事前に折り曲げておき、その後半田付けを行ってもよい。導通をとる方法であれば、半田付けに限らず、他の方法であってもよい。
【００５７】
また、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００５８】
本発明に係るレンズ駆動装置は、装置の薄型化に貢献しうるものとして、また、装置の信頼性を高めることが可能なものとして、有用である。
【図面の簡単な説明】
【００５９】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置からホルダを取り外し、後側から見たときの平面図である。
【図４】図３に示すレンズ駆動装置で、一のコイル接続部付近を拡大したときの様子を示す斜視図である。
【図５】コイル接続部を折り曲げたときの様子を示す図である。
【図６】コイル接続部を折り曲げ、接着剤を用いたときの様子を示す図である。
【符号の説明】
【００６０】
１  レンズ駆動装置
１１  ヨーク
１２  カバー
１３  移動体（スリーブ）
１４  第１の板バネ
１５  第２の板バネ
１５ｅ，１５ｅ'  コイル接続部
１５ｆ  コイルからげ部
１５ｇ  位置決め用孔
１６  ワイヤースプリング
１７  マグネット
１８  コイル
１８ａ  コイル線
１９  ホルダ
４０  接着剤
【図１】
0005150959.tif 000002
【図２】
0005150959.tif 000003
【図３】
0005150959.tif 000004
【図４】
0005150959.tif 000005
【図５】
0005150959.tif 000006
【図６】
0005150959.tif 000007